(57)【要約】【課題】開口部の壁厚に誤差が生じても対応することができる対応性と、良好な施工性とを兼ね備えた扉枠および扉枠の施工方法を提供する。【解決手段】扉枠１は、開口部Ｋの一方の壁面Ｓ１側の開口縁部に設けられる第１枠体１１１，１２１と、他方の壁面Ｓ２側の開口縁部に設けられる第２枠体１１２，１２２とで２分割されている。第１枠体１１１，１２１には、開口部Ｋ内側の先端に設けられた戸当たり部１１１ａ，１２１ａと、戸当たり部１１１ａ，１２１ａと重なり合う部分を挟み込む保持部１１１ｂ，１２１ｂとが形成されている。この扉枠１は、先に、一方の壁面Ｓ１側から第１枠体１１１，１２１を取り付け、固定用空間Ｒ内で柱部材Ｋｘおよび梁部材Ｋｙと固定した後に、他方の壁面Ｓ２側から第２枠体１１２，１２２を、第１枠体１１１，１２１へ嵌め込むことで取り付けることで、壁面パネルＰを貼った後でも扉枠１を取り付けることができる。【選択図】図１
2010189872.tif 000002
【特許請求の範囲】
【請求項１】
壁面の開口部の一方の壁面側の開口縁部に設けられる第１枠体と、
前記開口部の他方の壁面側の開口縁部に設けられる第２枠体とを備え、
前記第１枠体には、開口部内側の先端に設けられた戸当たり部と、前記戸当たり部の裏側に設けられ、前記戸当たり部と重なり合う前記第２枠体の内側先端部分を裏側から前記戸当たり部と共に挟み込む保持部とが形成されていることを特徴とする扉枠。
【請求項２】
前記第１枠体は、壁面パネルによる一方の壁面側から開口部内側へ延び、枠部材により形成された前記開口部の内側面と前記第１枠体の裏側面との間に固定用空間を確保する略Ｌ字状に形成され、
前記第２枠体は、壁面パネルによる他方の壁面側から開口部内側へ延び、前記戸当たり部と前記保持部との間に挿入可能とした略Ｌ字状に形成されている請求項１記載の扉枠。
【請求項３】
前記第１枠体に裏側面に配置される第１連結部材と、
該第１連結部材と連結可能な前記枠部材の位置に配置され、ねじ部材により前記枠部材と接続される第２連結部材とを備え、
前記第１連結部材と前記第２連結部材とは、前記固定空間内でねじ部材により連結されている請求項２記載の扉枠。
【請求項４】
前記第１枠体の裏側面と前記枠部材の取付面とに、相互に接するＳ字状の連結部材が前記固定空間内に設けられ、
前記Ｓ字状の連結部材は、前記第１枠体と前記枠部材とにねじ部材により連結されている請求項２記載の扉枠。
【請求項５】
前記第２枠体を前記枠部材に固定するための固定治具が設けられ、
前記固定治具は、前記第２枠体と前記枠部材との間に空間を確保する筒状のスペーサ部材と、前記第２枠体から前記スペーサ部材を挿通して、前記枠部材に螺着するねじ部材とを備えている請求項２記載の扉枠。
【請求項６】
前記第１枠体および／または前記第２枠体は、縦枠部と横枠部との接続が、それぞれ分離可能に形成されている請求項１から３のいずれかの項に記載の扉枠。
【請求項７】
壁面の開口部の一方の壁面側の開口縁部に設けられる第１枠体と、前記開口部の他方の壁面側の開口縁部に設けられる第２枠体とを備えた扉枠を前記開口部へ取り付ける扉枠の施工方法であって、
前記開口部内側の先端に設けられた戸当たり部と、前記戸当たり部の裏側に設けられ、前記戸当たり部と重なり合う前記第２枠体の内側先端部分を裏側から前記戸当たり部と共に挟み込む保持部とが形成された第１枠体を、前記一方の壁面側から配置する工程と、
前記第１枠体を前記開口部に固定する工程と、
前記第２枠体を前記他方の壁面側から前記開口部へ配置して、前記第２枠体の内側先端部分を前記戸当たり部と前記保持部との間に挿入する工程と、
前記第２枠体を前記開口部に固定する工程とを含むことを特徴とする扉枠の施工方法。
【発明の詳細な説明】
【技術分野】
【０００１】
本発明は、壁面の開口に設けられる扉を開閉自在に保持する扉枠およびその施工方法に関する。
【背景技術】
【０００２】
オフィスビルやテナントビル、マンションなどにおいては、出入口として壁面の開口部に扉が設けられる。この扉は開口部に設置される扉枠により開閉自在に保持される。
このような扉枠について、開口部の一方の壁面側に設けられる前枠と、他方の壁面側と設けられる後枠との、二つの枠体から形成された特許文献１に記載されたものが知られている。
【０００３】
特許文献１に記載の建具枠は、二分割された前枠と後枠の組合せから成り、前枠の内側面に戸当たりが一連にＧ形状に形成され、戸当たりのリップ部が後枠の内側面に接して見込み寸法の調整を自在とすることで、取り付け壁の厚みの大小または途中段階での変更でも適用させることができるものである。この特許文献１に記載の建具枠であれば、周辺壁の種別や厚みの決定時期によらず、壁厚の変更や不具合に柔軟に対応でき、予め前枠と後枠とを作製して準備しておくことが可能である。
【先行技術文献】
【特許文献】
【０００４】
【特許文献１】特開２００６−３１６４４６号公報
【発明の概要】
【発明が解決しようとする課題】
【０００５】
特許文献１に記載の建具枠では、前枠と後枠とを溶接またはボルトとナットとで結合した後に、壁の開口部に配置し、繋ぎ材を介して下地養生材（柱）と接合しているので、取り付ける順序としては、まず柱に結合した前枠と後枠とを、繋ぎ材を介して接合した後に、壁ボード材（壁面パネル）を建て付けることになる。
【０００６】
しかし、柱を建てる作業者と、壁面パネルを貼る作業者とは、同じ作業者であることが多いため、まず、開口部を形成する柱を建て、この柱に扉枠を接合し、そして壁面パネルを建て付けるという手順では、柱を建てた作業者は、扉枠の施工が完了するまで待たなくてはならない。
【０００７】
例えば、扉枠の設置工事が遅れたり、設置が必要な扉枠の数が多かったりすると、壁面パネルを貼るまでの手待ちの期間が長くなる。作業者は、手待ちの期間が長くなることで他の現場での作業に入ることがあるが、他の現場での作業が遅延してしまうと、扉枠の設置が完了して壁面パネルの建て付け待ちとなっても、今度は他の現場から抜けることができず、壁面パネルを貼る現場に戻れなくなってしまう。そうなると、工程の調整や管理が非常に厳しい状況になってしまう。従って、業種の異なるそれぞれの作業者が、出戻りすることなく順序よく施工現場で作業を行うことができる高い施工性を有する扉枠が望まれている。
【０００８】
そこで本発明は、開口部の壁厚に誤差が生じても対応することができる対応性と、良好な施工性とを兼ね備えた扉枠および扉枠の施工方法を提供することを目的とする。
【課題を解決するための手段】
【０００９】
本発明の扉枠は、壁面の開口部の一方の壁面側の開口縁部に設けられる第１枠体と、前記開口部の他方の壁面側の開口縁部に設けられる第２枠体とを備え、前記第１枠体には、開口部内側の先端に設けられた戸当たり部と、前記戸当たり部の裏側に設けられ、前記戸当たり部と重なり合う前記第２枠体の内側先端部分を裏側から前記戸当たり部と共に挟み込む保持部とが形成されていることを特徴とする。
【００１０】
また、本発明の扉枠の施工方法は、壁面の開口部の一方の壁面側の開口縁部に設けられる第１枠体と、前記開口部の他方の壁面側の開口縁部に設けられる第２枠体とを備えた扉枠を前記開口部へ取り付ける方法であって、前記開口部内側の先端に設けられた戸当たり部と、前記戸当たり部の裏側に設けられ、前記戸当たり部と重なり合う前記第２枠体の内側先端部分を裏側から前記戸当たり部と共に挟み込む保持部とが形成された第１枠体を、前記一方の壁面側から配置する工程と、前記第１枠体を前記開口部に固定する工程と、前記第２枠体を前記他方の壁面側から前記開口部へ配置して、前記第２枠体の内側先端部分を前記戸当たり部と前記保持部との間に挿入する工程と、前記第２枠体を前記開口部に固定する工程とを含むことを特徴とする。
【００１１】
本発明の扉枠は、第１枠体と第２枠体との２つの枠体から形成されている。第１枠体は、壁面の開口部の一方の壁面側の開口縁部に設けられる。第２枠体は、開口部の他方の壁面側の開口縁部に設けられる。この２つの枠体を開口部に設置するときには、第１枠体を、一方の壁面側から配置した後に、第１枠体を開口部に固定する。次に、第２枠体を他方の壁面側から開口部へ配置して、第２枠体の内側先端部分を、開口部内側の先端に設けられた戸当たり部と保持部との間に挿入する。戸当たり部の裏側に設けられた保持部は、戸当たり部と重なり合う第２枠体の内側先端部分を裏側から戸当たり部と共に挟み込むので、扉枠を開口部に設置するより以前に、第１枠体と第２枠体とを連結する必要がない。従って、壁面ができた後に、扉枠の施工が可能である。また、戸当たり部と保持部とで第２枠体を挟み込んでいるだけなので、開口部の施工誤差が原因で、壁厚が厚くなったり、薄くなったりしても、戸当たり部と第２枠体の内側先端部分との重なり合い度合いが変わるだけである。従って、外観からは重なり度合いが変わったことが戸当たり部に隠れて判別できないので、開口部の壁厚に誤差が生じても対応することができる。
【００１２】
前記第１枠体は、壁面パネルによる一方の壁面側から開口部内側へ延び、枠部材により形成された前記開口部の内側面と前記第１枠体の裏側面との間に固定用空間を確保する略Ｌ字状に形成され、前記第２枠体は、壁面パネルによる他方の壁面側から開口部内側へ延び、前記戸当たり部と前記保持部との間に挿入可能とした略Ｌ字状に形成されているのが望ましい。
第１枠体は、壁面パネルによる一方の壁面側から開口部内側へ延びた略Ｌ字状に形成されているが、開口部を形成する枠部材と第１枠体の裏側面との間には固定用空間が確保された形状なので、壁面を形成する壁面パネルが開口部を形成する枠部材に建て付けられた後でも、第１枠体を枠部材に固定することができる。そして、第２枠体は、他方の壁面側から開口部内側へ延びた略Ｌ字状に形成されているので、第１枠体を固定した後に、第２枠体を他方の壁面側から第１枠体の戸当たり部と前記保持部との間に挿入して固定することができる。
【００１３】
前記第１枠体に裏側面に配置される第１連結部材と、該第１連結部材と連結可能な前記枠部材の位置に配置され、ねじ部材により前記枠部材と接続される第２連結部材とを備え、前記第１連結部材と前記第２連結部材とは前記固定空間内でねじ部材により連結されているのが望ましい。第１連結部材と第２連結部材とで第１枠体と枠部材とを連結することで、溶接を使うことなく固定することができる。
【００１４】
前記第１枠体の裏側面と前記枠部材の取付面とに相互に接するＳ字状の連結部材が前記固定空間内に設けられ、前記Ｓ字状の連結部材は、前記第１枠体と前記枠部材とにねじ部材により連結することも可能である。Ｓ字状の連結部材により第１枠体と枠部材とを連結することで、溶接を使うことなく固定することができる。
【００１５】
前記第２枠体を前記枠部材に固定するための固定治具が設けられ、前記固定治具は、前記第２枠体と前記枠部材との間に空間を確保する筒状のスペーサ部材と、前記第２枠体から前記スペーサ部材を挿通して、前記枠部材に螺着するねじ部材とを備えているのが望ましい。第１枠体には固定用空間が確保されているため、第２枠体を第１枠体と接続した状態では第２枠体と枠部材との間に空間ができる。従って、第２枠体を枠材に固定するときに、単に平ねじで固定すると第２枠体の表面が凹むおそれがある。そこで、第２枠体と枠部材との間に空間を確保するスペーサ部材をねじ部材が挿通して枠部材へ螺着する固定治具を用いることで、第２枠体と枠部材との間の空間を確保した状態で、第２枠体を枠部材に固定することができる。
【００１６】
前記第１枠体および／または前記第２枠体は、縦枠部と横枠部との接続が、それぞれ分離可能に形成されていると、第１枠体および／または第２枠体のそれぞれの縦枠部と横枠部とを分離した状態で保管したり、施工現場へ搬入したりすることができるので、広い保管場所が不要であり、搬送も容易である。
【発明の効果】
【００１７】
本発明の構成によれば、戸当たり部と重なり合う第２枠体の内側先端部分を裏側から戸当たり部と共に挟み込むので、壁面ができた後に、扉枠の施工が可能である。また、本発明の構成によれば、壁厚に誤差が生じても、外観からは重なり度合いが変わったことが戸当たり部に隠れて判別できないので、開口部の壁厚に誤差が生じても対応することができる。従って、本発明は、開口部の壁厚に誤差が生じても対応することができる対応性と、良好な施工性とを兼ね備えることができる。
【図面の簡単な説明】
【００１８】
【図１】本発明の実施の形態に係る扉枠に扉を装着した状態を示す図であり、（Ａ）は正面図、（Ｂ）は水平断面図である。
【図２】図１に示す扉枠および扉のＡ−Ａ線断面図である。
【図３】図１に示す扉枠および扉のＢ−Ｂ線断面図である。
【図４】フック板を示す平面図である。
【図５】蝶番部分の扉枠の取り付け構造を示す図であり、（Ａ）は図１に示すはＣ−Ｃ線の一部断面図、（Ｂ）はコ字板を示す斜視図、（Ｃ）Ｌ字板を示す斜視図である。
【図６】第２枠体の固定状態を説明するための図である。
【図７】第１枠体の端部を示す図であり、（Ａ）は長手方向に沿って見た図、（Ｂ）は（Ａ）のＤ−Ｄ線矢視図である。
【図８】溶接により第１枠体を柱部材に固定する場合を示す図であり、（Ａ）は垂直断面図、（Ｂ）は水平断面図である。
【図９】本発明の実施の形態に係る扉枠の変形例を示す水平断面図である。
【図１０】本発明の実施の形態に係る扉枠の変形例を示す垂直断面図である。
【発明を実施するための形態】
【００１９】
本発明の実施の形態に係る扉枠を図１から図８に基づいて説明する
図１（Ａ）および同図（Ｂ）に示すように、本実施の形態に係る扉枠１は、鋼板を折り曲げて形成され、壁面Ｓ１,Ｓ２の開口部Ｋに設けられる開き戸２を、３ヵ所に取り付けられた蝶番Ｈにより開閉自在に保持するものである。この開き戸２は、高さが約２ｍ，幅が０．９ｍの矩形状に形成されている。
【００２０】
この開口部Ｋは、図２および図３に示すように、枠部材である断面Ｃ形の軽量鉄骨製（Ｃ型鋼）による２本の柱部材Ｋｘ，Ｋｘと、柱部材Ｋｘ，Ｋｘに架設されたＣ型鋼による梁部材Ｋｙとで形成されている。床Ｆに対して立設されている柱部材Ｋｘには、Ｃ型鋼による補強部材Ｋｚが設けられている。柱部材Ｋｘ，Ｋｘと梁部材Ｋｙおよび補強部材Ｋｚは、壁面Ｓ１，Ｓ２を形成する壁面パネルＰにより外装されている。壁面パネルＰは、設計により２枚重ね、３枚重ねとすることがあるが、本実施の形態では、両側を１枚の壁面パネルＰで覆っている。
【００２１】
扉枠１は、柱部材Ｋｘ，Ｋｘに取り付けられる縦枠部１１，１１と梁部材Ｋｙに取り付けられる横枠部１２とで形成された三方枠である。縦枠部１１は、第１枠体１１１と、第２枠体１１２とで２分割され、横枠部１２は、第１枠体１２１と第２枠体１２２とで２分割されている。
【００２２】
第１枠体１１１，１２１は、開口部Ｋの一方の壁面Ｓ１側の開口縁部に設けられる。第１枠体１１１，１２１は、断面が全体的に略Ｌ字状に形成されている。詳細には、第１枠体１１１，１２１は、壁面パネルＰによる一方の壁面Ｓ１側から開口部Ｋ内側へ延びるように形成され、柱部材Ｋｘと梁部材Ｋｙとで形成されたコ字状の開口部の内側面と第１枠体１１１，１２１の裏側面との間に固定用空間Ｒが確保されている。
【００２３】
第１枠体１１１，１２１には、開口部Ｋ内側の先端に戸当たり部１１１ａ，１２１ａが設けられている。また、第１枠体１１１，１２１には、戸当たり部１１１ａ，１２１ａの裏側に、保持部１１１ｂ，１２１ｂが設けられている。この保持部１１１ｂ，１２１ｂは、戸当たり部１１１ａ，１２１ａの先端に、戸当たり部１１１ａ，１２１ａの下端から上端までの長さの略Ｕ字状に屈曲させた板体を溶接することで形成されている。
【００２４】
第１枠体１１１，１２１には、戸当たり部１１１ａ，１２１ａの裏側面から固定用空間Ｒに向かって延びる係止部材１３１（第１連結部材）が溶接されている。この係止部材１３１は、柱部材Ｋｘおよび梁部材Ｋｙにねじ止めされたフック板１３２（第２連結部材）の先端に引っ掛けられている。ここで、フック板１３２について、図４に基づいて説明する。フック板１３２は、折り曲げられ、係止部材１３１と係止するフック部１３２ａが設けられた一端部側とは反対側の他端側に、ねじ止め用の貫通孔が３ヵ所設けられている。このねじ止め用の貫通孔は、２つの長孔１３２ｂと２つの長孔１３２ｂの間に位置する丸孔１３２ｃとが形成されている。
【００２５】
この係止部材１３１およびフック板１３２は、横枠部１２の中央部に設けられている。また、係止部材１３１およびフック板１３２は、縦枠部１１に４ヵ所設けられている。ここで係止部材１３１およびフック板１３２の取り付け位置について詳細に説明する。係止部材１３１およびフック板１３２は、図１（Ａ）に示すように、蝶番Ｈが設けられている３ヵ所の間の２ヵ所と、上端および蝶番Ｈの間と、下端および蝶番の間との合計４ヵ所に設けられている。
【００２６】
図５（Ａ）〜同図（Ｃ）に示すように、蝶番Ｈが設けられる位置には、コ字板１４１（第１連結具）が、ねじ部材Ｎ１によりねじ止めすることで、第１枠体１１１に取り付けられている。コ字板１４１の両側端部には、補強用の矩形状のリブ板１４１ａ，１４１ａが設けられている。
また、Ｌ字板１４２（第２連結具）が、柱部材Ｋｘに設けられている。このＬ字板１４２の両側端部には、補強の三角形状のリブ板１４２ａ，１４２ａが設けられている。Ｌ字板１４２は、柱部材Ｋｘにねじ止めされている。
コ字板１４１とＬ字板１４２とは、柱部材Ｋｘまたは第１枠体１１１の各面に対しての立設面同士が突き合わされた状態でねじ止めされている。そして、コ字板１４１とＬ字板１４２の対向面同士を突き合わせた状態で、Ｌ字板１４２側からねじ部材Ｎ２を挿通させてねじ止めすることで、柱部材Ｋｘと第１枠体１１１とが固定されている。
【００２７】
本実施の形態では、蝶番Ｈが設けられる位置に、コ字板１４１が、第１枠体１１１と柱部材Ｋｘとの連結に用いられているが、強度が確保できるなら、全部を係止部材１３１とフック板１３２との連結としてもよい。
【００２８】
図２および図３に示すように、第２枠体１１２，１２２は、開口部Ｋの他方の壁面Ｓ２側の開口縁部に設けられる。第２枠体１１２，１２２は、断面が全体的に略Ｌ字状に形成されている。詳細には、第２枠体１１２，１２２は、壁面パネルＰによる他方の壁面Ｓ２側から開口部内側へ延び、戸当たり部１１１ａ，１２１ａと保持部１１１ｂ，１２１ｂとの間に挿入されている。
【００２９】
ここで、第２枠体１１２，１２２を柱部材Ｋｘと梁部材Ｋｙに固定する固定治具について、図６に基づいて説明する。なお、図６においては、梁部材Ｋｙに横枠部１２が固定されている状態を示しており、柱部材Ｋｘに縦枠部１１が固定されている状態は、梁部材Ｋｙが柱部材Ｋｘに代わり、横枠部１２の第２枠体１２２が縦枠部１１の第２枠体１１２に代わるだけなので省略している。
【００３０】
図６に示すように、第２枠体１２２は、梁部材Ｋｙに固定治具１５により固定されている。この固定治具１５は、固定用空間Ｒと連通する第２枠体１２２と梁部材Ｋｙとの隙間（空間）を確保するための筒状のスペーサ部材１５１と、第２枠体１２２からスペーサ部材１５１を挿通して、梁部材Ｋｙへ螺着するねじ部材１５２とを備えている。このスペーサ部材１５１は、第２枠体１２２の裏側面に溶接されている。第２枠体１２２には、おもて面側からスペーサ部材１５１の位置が視認できるように、スペーサ部材１５１の孔と連通する貫通孔が設けられている。
【００３１】
本実施の形態に係る扉枠１は、前後に２分割されているだけでなく、縦枠部１１と横枠部１２とが、それぞれ分離可能に形成されている。つまり扉枠１は、６つのパーツに分割されている。図７（Ａ）および同図（Ｂ）に示すように、縦枠部１１の第１枠体１１１を例に説明すると、第１枠体１１１の両端部には、貫通孔が形成されたＬ字金具１６１にナット１６２が孔位置を合わせて溶接された接続部材１６が設けられている。この接続部材１６に、図示しない横枠部１２の第１枠体１２１の端部を直角に合わせてねじ止めすることで、２本の縦枠部１１の第１枠体１１１，１１１と横枠部１２の第１枠体１２１とを連結することができる。
【００３２】
以上のように構成された本発明の実施の形態に係る扉枠１の施工方法について、図面に基づいて説明する。
扉枠１を取り付ける開口部Ｋには、既に、柱部材Ｋｘが補強部材Ｋｚと共に立設され、柱部材Ｋｘ同士の間を梁部材Ｋｙが架設され、これらを覆うように壁面パネルＰが貼られ、蝶番Ｈと共にコ字板１４１が取り付けられるものとする。
【００３３】
まず、柱部材ＫｘのＬ字板１４２を取り付けた間の３ヵ所に、フック板１３２を等間隔に取り付ける。また、梁部材Ｋｙの中央部にもフック板１３２を取り付ける。このとき、フック板１３２を、長孔１３２ｂを通してねじを軽く締めて取り付けるだけで、丸孔１３２ｃにはねじを取り付けない。つまり、フック板１３２は仮固定された状態である。
【００３４】
（第１枠体の取り付け）
次に、連結されて２分割された三方枠の状態の第１枠体１１１，１２１を、一方の壁面Ｓ１側から開口部Ｋに配置する。第１枠体１１１，１２１を配置する際には、係止部材１３１がフック板１３２より前となる位置まで、第１枠体１１１，１２１を前進させた後、柱部材Ｋｘまたは梁部材Ｋｙ側に押し当てながら後退させる。そうすることで、係止部材１３１がフック板１３２のフック部１３２ａに引っ掛かる。その状態でフック板１３２の位置を調整して丸孔１３２ｃにねじをねじ込むと共に、長孔１３２ｂに取り付けたねじをねじ込み、フック板１３２を本固定する。
【００３５】
このとき、第１枠体１１１，１２１同士の間の開口を測り、開き戸２が取付可能な幅が確保されているかを確認する。幅が広すぎる場合には、第１枠体１１１，１２１を移動させて調整する。係止部材１３１とフック板１３２とは固定されていないため、係止部材１３１がフック板１３２に摺動しながら移動することで、第１枠体１１１，１２１を移動させて調整することができる。従って、設計値と実際の状態とが多少異なっていても、第１枠体１１１同士の間隔を調整することで合わせることができる。
【００３６】
次に、第１枠体１１１に蝶番Ｈと共に取り付けられているコ字板１４１の位置に合わせて、柱部材ＫｘにＬ字板１４２をねじ止めすると共にコ字板１４１とＬ字板１４２とをねじ部材Ｎ２によりねじ止めする。これで、第１枠体１１１が柱部材Ｋｘに固定され，第１枠体１２１が梁部材Ｋｙに固定される。
このように柱部材Ｋｘおよび梁部材Ｋｙに壁面パネルＰが貼られて状態であっても、固定用空間Ｒを利用して、第１枠体１１１と柱部材Ｋｘ，および第１枠体１２１と梁部材Ｋｙとを連結することができるので、第１枠体１１１，１２１を開口部Ｋに取り付けることができる。
【００３７】
（第２枠体の取り付け）
連結された三方枠の状態の第２枠体１１２，１２２を、他方の壁面Ｓ２側から開口部Ｋに配置する。第２枠体１１２，１２２を配置する際には、第１枠体１１１，１２１の戸当たり部１１１ａ，１２１ａと、保持部１１１ｂ，１２１ｂとの間の隙間に、第２枠体１１２，１２２の内側先端部分を挿入しながら行う。
【００３８】
次に、第２枠体１１２，１２２の裏側面に設けられたスペーサ部材１５１の位置に合わせて設けられた貫通孔にねじ部材１５２を、スペーサ部材１５１を挿通させて柱部材Ｋｘと梁部材Ｋｙとにねじ込む。第２枠体１１２，１２２と柱部材Ｋｘおよび梁部材Ｋｙとの間に、固定用空間Ｒと連通する空間が確保されていても、スペーサ部材１５１が隙間を支持するので、ねじ部材１５２を強くねじ込んでも、第２枠体１１２，１２２のおもて面に、ねじ部材１５２の頭部の押圧による凹みが生じることはない。
【００３９】
このように、戸当たり部１１１ａ，１２１ａの裏側に設けられた保持部１１１ｂ，１２１ｂは、戸当たり部１１１ａ，１２１ａと重なり合う第２枠体１１２，１２２の内側先端部分を裏側から戸当たり部１１１ａ，１２１ａと共に挟み込むので、扉枠１を開口部に設置するより以前に、第１枠体１１１，１２１と第２枠体１１２，１２２とを連結しておく必要がない。従って、柱部材Ｋｘと梁部材Ｋｙとに壁面パネルＰを貼り合わせた後に、扉枠１の施工が可能である。また、戸当たり部１１１ａ，１２１ａと保持部１１１ｂ，１２１ｂとで第２枠体１１２，１２２を挟み込んでいるだけなので、開口部Ｋを形成する柱部材Ｋｘや梁部材Ｋｙの施工誤差が原因で、壁厚が厚くなったり、薄くなったりしても、戸当たり部１１１ａ，１２１ａと第２枠体１１２，１２２の内側先端部分との重なり合い度合いが変わるだけである。例え、重なり合い度合いが変わったとしても戸当たり部１１１ａ，１２１ａにより隠れるので外観には変化がない。従って、本実施の形態に係る扉枠１は、開口部の壁厚に誤差が生じても対応することができる対応性と、良好な施工性とを兼ね備えている。
【００４０】
また、戸当たり部１１１ａ，１２１ａと保持部１１１ｂ，１２１ｂとが形成されている第１枠体１１１，１２１とを予め作り置きしておけば、設計段階で壁厚が最終的に決定してから第２枠体１１２，１２２を作製しても、第２枠体１１２，１２２の形状は、第１枠体１１１，１２１より簡易な、単に鋼板をほぼＬ字状に折り曲げただけの構造であるため、短期間に作製することができる。従って、短納期でも対応することができるので、施工に対して迅速に準備することができる。
【００４１】
本実施の形態では、第１枠体１１１，１２１と第２枠体１１２，１２２とを、縦枠部１１および横枠部１２ごとに分割した状態としているので、保管場所を省スペース化が図れ、施工現場への搬入を容易とすることができる。この分割は、縦枠部１１または横枠部１２のいずれか一方でもよい。
なお、本実施の形態に係る扉枠１を、防火扉が設けられる開口部に設置する場合には、縦枠部１１および横枠部１２をねじ止めによる連結ではなく、一体構造とすることで、必要な強度を確保することができる。
【００４２】
また、本実施の形態では、第１枠体１１１および柱部材Ｋｘと，第１枠体１２１および梁部材Ｋｙとを、Ｌ字板１４２同士で連結したり、係止部材１３１とフック板１３２とで連結したりしているが、例えば、図８（Ａ）および同図（Ｂ）に示すように、第１枠体１１１および柱部材Ｋｘと，第１枠体１２１および梁部材Ｋｙとを、固定用空間Ｒを溶接用空間として利用して、アンカー１８（接続棒）を介在させて溶接にて固定することも可能である。しかし、第１枠体１１１，１２１を溶接で固定する際に、固定用空間Ｒの奥側方向に向かって、電気溶接の溶接棒の先端から飛び散る溶接炎が壁面パネルＰの開口部Ｋ側の端部を焦がすおそれがある。従って、本実施の形態のように、溶接による連結ではなく、ねじ止め、または係止による連結を行う方がよい。そうすることで、壁面Ｓ１，Ｓ２として壁面パネルＰを貼っただけの状態、壁面パネルＰにクロスを貼った状態、壁面Ｓ１，Ｓ２に塗装した状態でも、扉枠１を安心して取り付けることができる。
【００４３】
また、開き戸２の開閉時に最も負荷が掛かる蝶番Ｈの部分に、蝶番Ｈと共にコ字板１４１がねじ止めされていることで、コ字板１４１が第１枠体１１１を固定するための固定部材として機能するだけでなく、第１枠体１１１を補強する補強部材としての機能も備えている。また、コ字板１４１を蝶番Ｈと共にねじ止めすることで、溶接や他のねじによる固定を行わなくてもよい。
【００４４】
更に、本実施の形態では、保持部１１１ｂ，１２１ｂは、溶接により戸当たり部１１１ａ，１２１ａに取り付けられているが、折り曲げにより一体的に形成してもよい。
【００４５】
（変形例）
次に、本発明の実施の形態に係る扉枠１の変形例について、図９および図１０に基づいて説明する。なお、図９および図１０においては、図２および図３と同じ構成のものは同符号を付して説明を省略する。
【００４６】
図９および図１０に示す扉枠１０は、開き戸２の重量が重い場合に好適なものとしている。扉枠１０の第１枠体は１１１，１２１のそれぞれは、柱部材Ｋｘと梁部材Ｋｙとに、通し金具である固定部材１７により固定されている。
【００４７】
固定部材１７は、断面が、Ｊ字状の枠体側ねじ止め部１７１と、Ｌ字状の枠部材側ねじ止め部１７２とが一体的に形成されたＳ字状の連結部材である。
Ｊ字状の枠体側ねじ止め部１７１は、第１枠体１１１，１２１の裏側の奥側に位置し、第１枠体１１１，１２１とおもて面側からねじ止めされる。
Ｌ字状の枠部材側ねじ止め部１７２は、戸当たり部１２１ａから柱部材Ｋｘまたは梁部材Ｋｙの方向へ向かい、柱部材Ｋｘまたは梁部材Ｋｙに沿って折れ曲がりねじ止めされる。
固定部材１７の柱部材Ｋｘとのねじ止め位置は、蝶番Ｈ（図２参照）の位置の３ヵ所と、蝶番Ｈ同士の間の２ヵ所と、上端から蝶番Ｈまでの間の位置と、下端から蝶番Ｈまでの間の位置との７ヵ所としている。また、梁部材Ｋｙとのねじ止め位置は、中央部の１ヵ所である。
【００４８】
この固定部材１７が第１枠体１１１，１２１の裏側面と、柱部材Ｋｘおよび梁部材Ｋｙの取付面とに相互に接した状態でねじ止めされていることで、第１枠体１１１を梁部材Ｋｙに，第１枠体１２１を梁部材Ｋｙに、強固に固定することができるので、重量の重い開き戸２であっても扉枠１０は開き戸２を支持することができる。
また、この変形例においても、第１枠体１１１を柱部材Ｋｘに，第１枠体１２１を梁部材Ｋｙに、溶接により固定していないので、壁面パネルＰにクロスを貼った状態でも、壁面Ｓ１，Ｓ２を塗装した状態でも、扉枠１０の施工を行っても問題はない。
【産業上の利用可能性】
【００４９】
本発明は、壁面の開口に設けられる扉枠に好適であり、三方枠だけでなく四方枠においても適用できる。また、本発明の扉枠に取り付けられる扉は、片開きの開き戸だけでなく量開き（観音開き）の扉や、折戸、引き戸でもよい。
【符号の説明】
【００５０】
１，１０  扉枠
１１  縦枠部
１１１  第１枠体
１１１ａ  戸当たり部
１１１ｂ  保持部
１１２  第２枠体
１２  横枠部
１２１  第１枠体
１２１ａ  戸当たり部
１２１ｂ  保持部
１２１ｃ  係止部材
１２２  第２枠体
１３１  係止部材
１３２  フック板
１３２ａ  フック部
１３２ｂ  長孔
１３２ｃ  丸孔
１４１  コ字板
１４１ａ  リブ板
１４２  Ｌ字板
１４２ａ  リブ板
１５  固定治具
１５１  スペーサ部材
１５２  ねじ部材
１６  接続部材
１６１  Ｌ字金具
１６２  ナット
１７  固定部材
１８  アンカー
２  開き戸
Ｋ  開口部
Ｋｘ  柱部材
Ｋｙ  梁部材
Ｋｚ  補強部材
Ｈ  蝶番
Ｐ  壁面パネル
Ｓ１，Ｓ２  壁面
Ｆ  床
Ｒ  固定用空間
Ｎ１，Ｎ２  ねじ部材
【図１】
2010189872.tif 000003
【図２】
2010189872.tif 000004
【図３】
2010189872.tif 000005
【図４】
2010189872.tif 000006
【図５】
2010189872.tif 000007
【図６】
2010189872.tif 000008
【図７】
2010189872.tif 000009
【図８】
2010189872.tif 000010
【図９】
2010189872.tif 000011
【図１０】
2010189872.tif 000012